【手続補正書】
【提出日】平成24年11月8日(2012.11.8)
【手続補正１】
【補正対象書類名】特許請求の範囲
【補正対象項目名】全文
【補正方法】変更
【補正の内容】
【特許請求の範囲】
【請求項１】
通信端末を接続する複数の接続ポートを有し、前記複数の接続ポート間でデータを中継する中継装置であって、
前記接続ポートに接続された通信端末のＭＡＣアドレスを抽出するＭＡＣアドレス抽出手段と、
前記ＭＡＣアドレス抽出手段が抽出したＭＡＣアドレスを所定のサーバへ通知するＭＡＣアドレス通知手段と、
前記ＭＡＣアドレスを通知したサーバから当該ＭＡＣアドレスに対応した情報を取得するＭＡＣアドレス対応情報取得手段と、
前記ＭＡＣアドレス対応情報取得手段が取得した情報の一部または全てを所定の宛先へ通知するまたは自中継装置が備える表示部に表示するＭＡＣアドレス対応情報通知手段と、を有し、
前記複数の接続ポートの何れかに通信端末が接続された場合に、前記ＭＡＣアドレス抽出手段は当該通信端末のＭＡＣアドレスを抽出し、前記ＭＡＣアドレス通知手段は多数のＭＡＣアドレスの各々と対応付けて端末種別または通信能力または通信制御に係る端末情報を蓄積しているサーバへ前記抽出したＭＡＣアドレスを通知し、前記ＭＡＣアドレス対応情報取得手段は前記サーバから当該ＭＡＣアドレスに対応した端末情報を取得し、前記ＭＡＣアドレス対応情報通知手段は当該接続ポートに接続された通信端末の識別に係る前記取得した端末情報の一部または全てを予め定められた宛先へ通知するまたは自中継装置が備える表示部に表示することを特徴とする接続端末識別機能を有する中継装置。
【請求項２】
請求項１に記載の中継装置であって、
前記複数の接続ポートのデータ中継に係る優先制御を行う優先制御手段を更に有し、
前記ＭＡＣアドレス対応情報取得手段が取得した情報に優先制御に係る情報が含まれていた場合、またはＭＡＣアドレス対応情報提示手段が通知した宛先から優先制御に係る指示コマンドを受信した場合、
前記優先制御手段は前記複数の接続ポート間で、所定の優先制御を伴うデータ中継を実行すること特徴とする接続端末識別機能を有する中継装置。
【請求項３】
請求項１または２に記載の中継装置であって、
前記ＭＡＣアドレス対応情報取得手段が取得した情報に誤接続または不正接続に係るアラーム情報が含まれていた場合、またはＭＡＣアドレス対応情報提示手段が通知した宛先から誤接続または不正接続に係るアラームコマンドを受信した場合、
当該通信端末の当該接続ポートへの接続は誤接続または不正接続である旨のアラームを予め定められた宛先へ通知するまたは自中継装置が備える表示部に表示すること特徴とする接続端末識別機能を有する中継装置。
【手続補正２】
【補正対象書類名】明細書
【補正対象項目名】００１５
【補正方法】変更
【補正の内容】
【００１５】
ゲートウェイ３００は、インターネット４００と中継装置１００との間に接続され、インターネット４００（ＷＡＮ）と中継装置（ＬＡＮ）１００とのプロトコル変換を行なう。インターネット４００は、世界中様々な機器からアクセス可能な通信網である。
【手続補正３】
【補正対象書類名】明細書
【補正対象項目名】００２３
【補正方法】変更
【補正の内容】
【００２３】
ＭＡＣテーブル部１０２は、接続している通信端末２００のＭＡＣアドレスと、通信端末２００が接続ポート１０６の接続ポート番号と、通信端末２００の通信端末情報とを関連付けて記憶した通信端末情報付きＭＡＣテーブル１０２０を記憶する。なお、詳細については図４に後述する。
ＭＡＣアドレス学習部１０３は、接続ポート１０６に通信端末２００を接続すると、接続した通信端末２００のＭＡＣアドレスを抽出する。ＭＡＣアドレス学習部１０３は、ＭＡＣアドレスを抽出すると、端末情報問合せ部１０４に対して所定のサーバ（メーカのプロダクトサーバ）へ通信端末情報の問合せを指示する。
端末情報問合せ部１０４は、ＭＡＣアドレス学習部１０３の指示に従い、抽出した通信端末２００の通信端末情報を端末情報問合せ部１０４に予め記憶された所定のサーバ（メーカのプロダクトサーバ）のアドレスに向けて問合わせる。なお、問合わせにはインターネットを経由してメッセージのやり取りが可能な独自のプロトコルで行ってもよいし、ＴＣＰ／ＩＰまたはＵＤＰで行ないＨＴＴＰ、ＴＥＬＮＥＴ、ＳＩＰ等のプロトコルを利用してもよい。
【手続補正４】
【補正対象書類名】明細書
【補正対象項目名】００４９
【補正方法】変更
【補正の内容】
【００４９】
他メーカの問合せ先プロダクトサーバがあったとき（Ｓ１１２：ＹＥＳ）、中継装置１００は、次の問合せメーカＢ、Ｃ、…のプロダクトサーバのＩＰアドレス）を設定し（Ｓ１１３）、ステップ１０４に遷移する。他メーカの問合せ先プロダクトサーバがなかったとき（Ｓ１１２：ＮＯ）、中継装置１００は、通信端末情報登録動作を終了する。
【手続補正５】
【補正対象書類名】明細書
【補正対象項目名】００５０
【補正方法】変更
【補正の内容】
【００５０】
ＭＡＣテーブル部１０２から、ＭＡＣアドレス学習部１０３の動作規定に基づいて、ＭＡＣアドレスが削除されるとき、中継装置１００は、プロダクトサーバ５００から取得した通信端末情報も全て削除する。
【手続補正６】
【補正対象書類名】明細書
【補正対象項目名】００５４
【補正方法】変更
【補正の内容】
【００５４】
ステップ５０３でＮＯのとき、プロダクトサーバ５００は、抽出したＭＡＣアドレスが見つからなかったことを問合せ元の中継装置１００へ送信し（Ｓ５０６）、通信端末情報返答動作を終了する。
【手続補正７】
【補正対象書類名】明細書
【補正対象項目名】００５７
【補正方法】変更
【補正の内容】
【００５７】
中継装置１００は、さらに、受信イーサネットフレームの送信元ＭＡＣアドレスを検出する（Ｓ２０３）。中継装置１００は、ＭＡＣテーブル部１０２のテーブル内に検出した送信元ＭＡＣアドレスに一致するＭＡＣアドレスを見つけ、そのＭＡＣアドレスに対応する優先度１０２７に登録されている優先度情報をこのイーサネットフレーム優先度としてイーサネットフレームに対応付ける（Ｓ２０４）。中継装置１００のスイッチ部１０１は、優先制御部１０１１に優先度を通知する（Ｓ２０５）。
【手続補正８】
【補正対象書類名】明細書
【補正対象項目名】００６１
【補正方法】変更
【補正の内容】
【００６１】
中継装置１００は、ＭＡＣテーブル部１０２に登録された通信端末情報の優先度の値を調査する（Ｓ３０１）。中継装置１００は、調査した優先度の値が接続ポート１０６で対応可能か判定する（Ｓ３０２）。対応可能であると判断したとき（Ｓ３０２：ＹＥＳ）中継装置１００は、そのままステップ３０５に遷移する。ステップ３０２で対応不可であると判断したとき（Ｓ３０２：ＮＯ）、中継装置１００は、アラーム情報をセットし（Ｓ３０３）、図示しないＬＥＤならびに端末情報表示部１０８にアラーム表示を行い（Ｓ３０４）、ステップ３０５に遷移する。
【手続補正９】
【補正対象書類名】明細書
【補正対象項目名】００６２
【補正方法】変更
【補正の内容】
【００６２】
ステップ３０５では中継装置１００は、ＭＡＣテーブル部１０２に登録された通信端末情報のＰｏＥ最大電流の値を調査する。中継装置１００は、調査したＰｏＥ最大電流の値が接続ポート１０６で対応可能か判定する（Ｓ３０６）調査したＰｏＥ最大電流の値が接続ポート１０６が供給可能な電流値より小さければ対応可能であると判断し（Ｓ３０６：ＹＥＳ）、中継装置１００は、そのままアラーム表示動作を終了する。ステップ３０５で調査したＰｏＥ最大電流の値が接続ポート１０６が供給可能な電流値以上であって対応不可であると判断したとき（Ｓ３０６：ＮＯ）、中継装置１００は、アラーム情報をセットして（Ｓ３０７）、図示しないＬＥＤならびに端末情報表示部１０８にアラーム表示を行い（Ｓ３０８）、アラーム表示動作を終了する。
なお、アラーム情報は、ＭＡＣテーブル部１０２の図４の通信端末情報付きＭＡＣテーブル１０２０のように優先度１０２７またはＰｏＥ最大電流１０２８にアラーム情報をセットする。